(57)【要約】【課題】内視鏡を購入する全てのユーザーに、操作し易い内視鏡を提供する。【解決手段】端末機を用いて、内視鏡に関する情報と共に、ユーザー識別情報を業者に送信する。そして抽出手段は、受信した内視鏡に関する情報に基づいて、パーツデータベースから内視鏡本体及び種々のパーツに関する情報を抽出し、さらに、受信したユーザー識別情報に基づいて、ユーザーデータベースからユーザーに関する情報を抽出する。そして、業者は、抽出された種々のパーツに関する情報に基づいて組立てられた内視鏡をユーザーに配送する。【選択図】      図２
2004180894.tif 000002
【特許請求の範囲】
【請求項１】
ユーザーを識別するためのユーザー識別情報と、内視鏡に関する情報と、を入力する入力手段を有する通信機能を備えた端末機と、
ユーザーに関する情報が記録されているユーザーデータベースと、内視鏡本体及び前記内視鏡本体に組み込まれる種々のパーツに関する情報が記録されているパーツデータベースと、前記パーツデータベースから前記内視鏡本体及び前記種々のパーツに関する情報を抽出する抽出手段と、を有する業者と、から構成される内視鏡オーダーパーツシステムであって、
前記端末機は、前記内視鏡に関する情報と共に、前記ユーザー識別情報を前記業者に送信し、
前記抽出手段は、受信した前記内視鏡に関する情報に基づいて、前記パーツデータベースから前記内視鏡本体及び前記種々のパーツに関する情報を抽出し、
さらに、受信した前記ユーザー識別情報に基づいて、前記ユーザーデータベースから前記ユーザーに関する情報を抽出し、
前記業者は、抽出された前記内視鏡本体及び前記種々のパーツに関する情報に基づいて、内視鏡を組立て、
さらに、抽出された前記ユーザーに関する情報に基づいて、前記ユーザーに前記内視鏡を配送すること、を特徴とする内視鏡オーダーパーツシステム。
【請求項２】
前記内視鏡本体及び前記種々のパーツは、パラメータの異なった複数のパターンを各々有し、
前記内視鏡に関する情報は、前記内視鏡本体及び前記種々のパーツを、各々、前記複数のパターンの中から選択した情報であること、を特徴とする請求項１に記載の内視鏡オーダーパーツシステム。
【請求項３】
ユーザーを識別するためのユーザー識別情報と、内視鏡の用途及び前記ユーザーの手の情報と、を入力する入力手段を有する通信機能を備えた端末機と、
ユーザーに関する情報が記録されているユーザーデータベースと、内視鏡本体及び前記内視鏡本体に組み込まれる種々のパーツに関する情報が記録されているパーツデータベースと、前記パーツデータベースから前記内視鏡本体及び前記種々のパーツに関する情報を抽出する抽出手段と、を有する業者と、から構成される内視鏡オーダーパーツシステムであって、
前記端末機は、前記内視鏡の用途及び前記ユーザーの手の情報と共に、前記ユーザー識別情報を前記業者に送信し、
前記抽出手段は、受信した前記内視鏡の用途及び前記ユーザーの手の情報に基づいて、前記パーツデータベースから所定の前記内視鏡本体及び前記種々のパーツに関する情報を抽出し、
さらに、受信した前記ユーザー識別情報に基づいて、前記ユーザーデータベースから前記ユーザーに関する情報を抽出し、
前記業者は、抽出された前記内視鏡本体及び前記種々のパーツに関する情報に基づいて、内視鏡を組立て、
さらに、抽出された前記ユーザーに関する情報に基づいて、前記ユーザーに前記内視鏡を配送すること、を特徴とする内視鏡オーダーパーツシステム。
【請求項４】
前記内視鏡本体及び前記種々のパーツは、パラメータの異なった複数のパターンを各々有し、
前記内視鏡の用途及び前記ユーザーの手の情報は、前記種々のパーツについて、異なる複数のパターンのうちの１つを選択するための情報であること、を特徴とする請求項３に記載の内視鏡オーダーパーツシステム。
【請求項５】
前記ユーザーの手の情報は、ユーザーの利き腕、手の大きさ、各指の太さ及び長さのうち、少なくとも１つを含む情報であること、を特徴とする請求項３または請求項４のいずれかに記載の内視鏡オーダーパーツシステム。
【請求項６】
前記ユーザーに関する情報は、ユーザー名、住所、電話番号、メールアドレスのうち、少なくとも１つを含む情報であること、を特徴とする請求項１から請求項５のいずれかに記載の内視鏡オーダーパーツシステム。
【請求項７】
前記種々のパーツは、ユーザーが内視鏡を操作するための操作部を構成するパーツを含むこと、を特徴とする請求項１から請求項６のいずれかに記載の内視鏡オーダーパーツシステム。
【請求項８】
前記種々のパーツは、操作部本体、グリップ、上下湾曲ノブ、左右湾曲ノブ、上下ブレーキレバー、左右ブレーキツマミ、鉗子起上レバーのうち、少なくとも１つを含むこと、を特徴とする請求項１から請求項７のいずれかに記載の内視鏡オーダーパーツシステム。
【請求項９】
前記操作部本体のパラメータは、ユニバーサルコードを接続する位置であること、を特徴とする請求項８に記載の内視鏡オーダーパーツシステム。
【請求項１０】
前記グリップのパラメータは、材料、太さ、厚み、丸み、及び滑り止めの有無であること、を特徴とする請求項８または請求項９のいずれかに記載の内視鏡オーダーパーツシステム。
【請求項１１】
前記上下湾曲ノブ及び前記左右湾曲ノブのパラメータは、大きさ、指掛部の数及び形状であること、を特徴とする請求項８から請求項１０のいずれかに記載の内視鏡オーダーパーツシステム。
【請求項１２】
前記上下ブレーキレバーのパラメータは、大きさ、及びレバーの形状であること、を特徴とする請求項８から請求項１１のいずれかに記載の内視鏡オーダーパーツシステム。
【請求項１３】
前記左右ブレーキツマミのパラメータは、ツマミの大きさ及び形状であること、を特徴とする請求項８から請求項１２のいずれかに記載の内視鏡オーダーパーツシステム。
【請求項１４】
前記鉗子起上レバーのパラメータは、レバーの大きさ及び形状であること、を特徴とする請求項８から請求項１３のいずれかに記載の内視鏡オーダーパーツシステム。
【請求項１５】
前記端末機は、ハンディターミナルであること、を特徴とする請求項１から請求項１４のいずれかに記載の内視鏡オーダーパーツシステム。
【発明の詳細な説明】
【０００１】
【発明の属する技術分野】
この発明は、ユーザーの好みに合わせた特注品の内視鏡を該ユーザーに提供する内視鏡オーダーパーツシステムに関する。
【０００２】
【従来の技術】
従来より、ユーザーが内視鏡を購入する場合、ユーザーは、医療機器メーカーが発行したカタログに掲載された仕様を閲覧することによって、購入する内視鏡を決定し、その医療機器メーカーに連絡をして、製品の購入を行っていた。（例えば、非特許文献１参照。）。また、近年、ネットワークの発達により、オンラインでカタログを閲覧し、製品の仕様を確認し、その医療機器メーカーに連絡をして、製品を購入することもできるようになっている（例えば、非特許文献２参照。）。また、医療機器メーカーから販売員が直接ユーザーのもとに訪問して、そのユーザーに、実際に製品や試作品などを操作させて、製品を販売することもある。
【０００３】
この出願の発明に関連する先行技術文献情報としては次のものがある。
【非特許文献１】
「気管支ファイバースコープ（ＦＩＢＥＲ  ＳＣＯＰＥＳ  ＢＲＯＮＣＨＯ）」、ペンタックス株式会社、許可番号：玉用第２７７号、ｐ１−２５
【非特許文献２】
「Ｐｒｏｄｕｃｔｓ  Ｉｎｆｏｒｍａｔｉｏｎ」、［ｏｎｌｉｎｅ］、平成１３年、ペンタックス販売株式会社、［平成１４年１１月２２日検索］、
インターネット＜ＵＲＬ：ｈｔｔｐ：／／ｗｗｗ．ｐｅｎｔａｘ．ｃｏ．ｊｐ／ｐｓｃ／ｐｒｏｄｕｃｔ．ｈｔｍｌ＞
【０００４】
【発明が解決しようとする課題】
近年、医療機器メーカーの技術の向上によって、内視鏡を操作するために熟練した操作技術を必要としない製品が次々と開発されている。しかしながら、内視鏡の操作ミスは、患者に多大な負担を掛けてしまうため、ユーザーは、より操作し易い内視鏡の開発を求めている。
【０００５】
ところが、操作し易い内視鏡とは、ユーザー毎に異なっているものである。すなわち、ユーザーの身体的特徴、経験、性格などによって、内視鏡に求められる操作性も異なってくる。
【０００６】
そこで、本発明は上記の事情に鑑み、内視鏡を購入する全てのユーザーに、操作し易い内視鏡を提供することができる内視鏡オーダーパーツシステムを提供することを目的とする。
【０００７】
【課題を解決するための手段】
上記の課題を解決するため、本発明の一態様に係る内視鏡オーダーパーツシステムは、ユーザーを識別するためのユーザー識別情報と、内視鏡に関する情報と、を入力する入力手段を有する通信機能を備えた端末機と、ユーザーに関する情報が記録されているユーザーデータベースと、内視鏡本体及び内視鏡本体に組み込まれる種々のパーツに関する情報が記録されているパーツデータベースと、パーツデータベースから内視鏡本体及び種々のパーツに関する情報を抽出する抽出手段と、を有する業者と、から構成されている。この端末機は、内視鏡に関する情報と共に、ユーザー識別情報を業者に送信する。そして抽出手段は、受信した内視鏡に関する情報に基づいて、パーツデータベースから内視鏡本体及び種々のパーツに関する情報を抽出し、さらに、受信したユーザー識別情報に基づいて、ユーザーデータベースからユーザーに関する情報を抽出する。そして、業者は、抽出された種々のパーツに関する情報に基づいて組立てられた内視鏡を、抽出したユーザーに関する情報に基づいて、ユーザーに配送する。
【０００８】
また、上記内視鏡オーダーパーツシステムにおいて、内視鏡本体及び種々のパーツは、パラメータの異なった複数のパターンを各々有している。上記内視鏡に関する情報は、内視鏡本体及び種々のパーツを、各々、複数のパターンの中から選択した情報である。
【０００９】
また、本発明の別の態様の内視鏡オーダーパーツシステムは、ユーザーを識別するためのユーザー識別情報と、内視鏡の用途及びユーザーの手の情報と、を入力する入力手段を有する通信機能を備えた端末機と、ユーザーに関する情報が記録されているユーザーデータベースと、内視鏡本体及び内視鏡本体に組み込まれる種々のパーツに関する情報が記録されているパーツデータベースと、パーツデータベースから内視鏡本体及び種々のパーツに関する情報を抽出する抽出手段と、を有する業者と、から構成されている。この端末機は、内視鏡の用途及びユーザーの手の情報と共に、ユーザー識別情報を業者に送信する。そして抽出手段は、受信した内視鏡の用途及びユーザーの手の情報に基づいて、パーツデータベースから所定の内視鏡本体及び種々のパーツに関する情報を抽出し、さらに、受信したユーザー識別情報に基づいて、ユーザーデータベースからユーザーに関する情報を抽出する。そして、業者は、抽出された種々のパーツに関する情報に基づいて組立てられた内視鏡を、抽出したユーザーに関する情報に基づいて、ユーザーに配送する。
【００１０】
また、上記内視鏡オーダーパーツシステムにおいて、内視鏡本体及び種々のパーツは、パラメータの異なった複数のパターンを各々有している。内視鏡の用途及びユーザーの手の情報は、種々のパーツについて、異なる複数のパターンのうちの１つを選択するための情報である。さらに、ユーザーの手の情報は、ユーザーの利き腕、手の大きさ、各指の太さ及び長さのうち、少なくとも１つを含む情報である。
【００１１】
また、上記内視鏡オーダーパーツシステムにおいて、ユーザーに関する情報は、ユーザー名、住所、電話番号、メールアドレスのうち、少なくとも１つを含む情報である。
【００１２】
また、上記内視鏡オーダーパーツシステムにおいて、種々のパーツは、ユーザーが内視鏡を操作するための操作部を構成するパーツを含んでいる。この種々のパーツは、操作部操作部本体、グリップ、上下湾曲ノブ、左右湾曲ノブ、上下ブレーキレバー、左右ブレーキツマミ、鉗子起上レバーのうち、少なくとも１つを含んでいる。
【００１３】
また、上記内視鏡オーダーパーツシステムにおいて、操作部本体のパラメータは、ユニバーサルコードを接続する位置である。また、グリップのパラメータは、材料、太さ、厚み、丸み、及び滑り止めの有無であり、上下湾曲ノブ及び左右湾曲ノブのパラメータは、大きさ、指掛部の数及び形状であり、上下ブレーキレバーのパラメータは、大きさ、及びレバーの形状であり、左右ブレーキツマミのパラメータは、ツマミの大きさ及び形状であり、鉗子起上レバーのパラメータは、レバーの大きさ及び形状である。
【００１４】
また、上記内視鏡オーダーパーツシステムにおいて、端末機は、ハンディターミナルである。
【００１５】
【発明の実施の形態】
図１は、本発明の第１の実施形態の内視鏡オーダーパーツシステム５００の構成を示すブロック図である。この内視鏡オーダーパーツシステム５００は、種々の内視鏡を製造し、販売する側である医療機器メーカーが、病院などの内視鏡を購入するユーザーの要望を聞き、その要望に応じた内視鏡を販売するシステムである。第１の実施形態において上記システムは、ユーザー側の要望を入力するハンディターミナル１００と、内視鏡の製造から販売及び配送まで全てを行う医療機器メーカー２００から構成されている。
【００１６】
図１に示すように、ハンディターミナル１００は、ユーザーが購入する内視鏡に関する情報を入力する入力キーを備えた入力部１１０と、内視鏡に関する情報が表示される表示部１２０と、外部装置とデータ通信を行うための通信部１３０から構成されている。
【００１７】
図２は、ハンディターミナル１００の詳細を示す図である。入力部１１０には、１〜ｎの数値が記された数値キー、曲折矢印が記された決定キーなどが配列されている。また、この図２は、ハンディターミナル１００の図示しない記録部に記録されている内視鏡を注文するプログラムが起動した状態を表しており、表示部１２０には、医療機器メーカー２００が販売している内視鏡と、それらの内視鏡を構成するパーツが、それぞれ複数種類表示されている。この各種パーツとは、ユーザーが内視鏡を操作するための操作部を構成するパーツである。この種々のパーツは、操作部操作部本体、グリップ、上下湾曲ノブ、左右湾曲ノブ、上下ブレーキレバー、左右ブレーキツマミ、鉗子起上レバーのうち、少なくとも１つを含んでいる。この第１の実施形態の内視鏡オーダーパーツシステム５００において、ユーザーは、この表示部１２０に表示されている各種パーツを、自身の好みに応じて選択し、注文することができる。
【００１８】
また、図３は、医療機器メーカー２００が販売する内視鏡の一形態である内視鏡１を示す図である。この内視鏡１は、挿入部可撓管１０と、鉗子差込口２０と、操作部３０と、コネクタ部４０と、ユニバーサルコード５０から構成されている。
【００１９】
内視鏡１が備える挿入部可撓管１０は、体腔内に挿入される管であり、可撓性を有している。この挿入部可撓管１０の先端部には、体腔内の生体組織を観察するための図示しない対物光学系と固体撮像素子が配設されている。挿入部可撓管１０内部には、固体撮像素子によって受光され、光電変換された画像信号を送信する信号線や、観察対象に光を当てるライトガイドなどが配設されている。
【００２０】
鉗子差込口２０は、生体組織の止血や採取など、さまざまな処置を行うための鉗子を挿入する部位である。ユーザーは、手術内容に応じてさまざまな鉗子を、この鉗子差込口２０にセットする。
【００２１】
コネクタ部４０は、内視鏡１を、プロセッサなどの画像処理を行う画像処理装置に接続する部位である。このコネクタ部４０は、主に、固体撮像素子から伝送される画像信号を伝送する信号線と、画像処理を行うプロセッサ側の信号線と、を接続しており、さらに、ライトガイドと、プロセッサ側の光源部と、を接続している。また、このコネクタ部４０は、ユニバーサルコード５０を介して、操作部３０と接続されている。
【００２２】
図４は、操作部３０の詳細を示す図である。上述したように操作部３０は、ユーザーが内視鏡を操作するための部位であり、操作部本体３１、グリップ３２、上下湾曲ノブ３３、左右湾曲ノブ３４、上下ブレーキレバー３５、左右ブレーキツマミ３６、鉗子起上レバー３７などのパーツから構成されている。
【００２３】
図５〜図１１は、表示部１２０に表示されるパーツの一例を示す図である。なお、この図５〜図１１において、これらパーツの各々で、それぞれパラメータの異なった２〜３パターンを図示しているが、各パーツのパターン数は、これに限定されることはない。
【００２４】
操作部本体３１は、操作部３０の種々のノブ、レバー、ボタンなどのパーツを取り付けるための土台となる部位であり、これらの種々パーツの駆動機構や、画像信号を伝送する信号線などを収納するための外枠である。また、この操作部本体３１は、ユニバーサルコード５０を接続する接続部３１ａを有している。この接続部３１ａが形成されている位置によって、操作部３０とユニバーサルコード５０との位置関係は決定する。図５に示すように、この接続部３１ａが形成されている位置は、図５（ａ）と図５（ｂ）との間で異なっており、ユーザーによって異なる操作部３０の保持方法（例えば、握り方）に対応することができる。また、図５（ａ）の操作部本体３１には、図５（ｂ）の操作部本体３１に比べてリモートボタン３１ｂ（図４中）に近い位置に、接続部３１ａが備えられており、このリモートボタン３１ｂを操作し易くなっている。
【００２５】
グリップ３２は、ユーザーが内視鏡１を把持するための部位である。図６（ａ）〜（ｃ）に示すように、このグリップ３２では、太さ、厚み、丸み、滑り止め３２ａの有無などの形状、及びグリップ３２に用いられる材料などがそれぞれ異なっているパターンが用意されている。これは、ユーザーによって異なる手の大きさ、指の長さ、利き腕などに対応するためであり、ユーザーは、自身が、最も握り易い形状、及び材料を有するグリップを選択することができる。
【００２６】
上下湾曲ノブ３３は、図３の矢印Ａ方向に、内視鏡１の先端部、すなわち挿入部可撓管１０の先端部を動かすためのノブであり、図７において時計回りに回動させると、図３下方向に、挿入部可撓管１０の先端部を湾曲させ、反時計回りに回動させると、図３上方向に、挿入部可撓管１０の先端部を湾曲させる。図７（ａ）〜（ｃ）に示すように、この上下湾曲ノブ３３では、大きさ、角部の形状がそれぞれ異なっているパターンが用意されている。大きさは、ユーザーの手の大きさ、指の長さなどに対応するために複数パターン用意されたものであり、角部の形状は、ユーザーが、角部外周３３ａ、または引っ掛け部３２ｂのいずれかを用いて、この上下湾曲ノブ３３を回動させるかによって、複数パターン用意されたものである。また、角部の数が異なっているパターンも用意されている。
【００２７】
また、図８（ａ）〜（ｃ）に示すように、左右湾曲ノブ３４も、上下湾曲ノブ３３と同様の異なったパラメータを有するものが、複数パターン用意されている。この左右湾曲ノブ３４は、図３の矢印Ａに対して垂直となる方向に、挿入部可撓管１０の先端部を動かすためのノブであり、図８において時計回りに回動させると、図３紙面手前方向に、挿入部可撓管１０の先端部を湾曲させ、反時計回りに回動させると、図３紙面奥方向に、挿入部可撓管１０の先端部を湾曲させる。また、上下湾曲ノブ３３と左右湾曲ノブ３４との大きさを比較した場合、上下湾曲ノブ３３の方が大きいことを好むユーザーや、左右湾曲ノブ３４の方が大きいことを好むユーザーがいるため、この２つのノブの大きさの関係も、ユーザーのパーツ選択の一要素となっている。
【００２８】
上下ブレーキレバー３５は、上下湾曲ノブ３３によって湾曲された挿入部可撓管１０の先端部を、その湾曲された位置に固定するための部位であり、図９においてブレーキレバー部３５ａを反時計回りに回動させると、挿入部可撓管１０の先端部を固定する。図９（ａ）、（ｂ）に示すように、この上下ブレーキレバー３５では、大きさ、ブレーキレバー部３５ａの形状がそれぞれ異なっているパターンが用意されている。この上下ブレーキレバー３５の大きさやブレーキレバー部３５ａの形状などのパラメータは、上下ブレーキレバー３５が上下湾曲ノブ３３や左右湾曲ノブ３４よりも内側に取り付けられるため、ユーザーの操作性だけでなく、選択された上下湾曲ノブ３３や左右湾曲ノブ３４の大きさによっても決定する。
【００２９】
左右ブレーキツマミ３６は、左右湾曲ノブ３４によって湾曲された挿入部可撓管１０の先端部を、その湾曲された位置に固定するための部位であり、図１０においてブレーキツマミ部３６ａを反時計回りに回動させると、挿入部可撓管１０の先端部を固定する。図１０（ａ）、（ｂ）に示すように、この左右ブレーキツマミ３６では、ブレーキツマミ部３６ａの大きさ、形状がそれぞれ異なっているパターンが用意されている。このブレーキツマミ部３６ａの大きさ、形状は、ユーザーの操作性のみで決定するパラメータである。
【００３０】
鉗子起上レバー３７は、鉗子差込口２０から挿入された鉗子を、挿入部可撓管１０の先端部近傍で、光軸方向から光軸と垂直な方向に起上させるレバーであり、主に側視鏡に搭載されるものである。図１１において起上レバー部３７ａを反時計回りに回動させると、その回動量に応じて鉗子を起上させる。図１１（ａ）、（ｂ）に示すように、この鉗子起上レバー３７では、起上レバー部３７ａの大きさ、形状がそれぞれ異なっているパターンが用意されている。この起上レバー部３７ａの大きさ、形状は、ユーザーの操作性のみで決定するパラメータである。
【００３１】
この内視鏡１を販売する医療機器メーカー２００は、図１に示すように、外部装置とデータ通信を行うための通信部２１０と、抽出部２２０と、パーツデータベース２３０と、ユーザーデータベース２４０と、製造ライン２５０と、配送センター２６０を備えている。
【００３２】
抽出部２２０は、通信部２１０が受信した情報に基づいて、パーツデータベース２３０、及びユーザーデータベース２４０から所定の情報を抽出し、パーツデータベース２３０から抽出した情報を、製造ライン２５０に送信し、ユーザーデータベース２４０から抽出した情報を、配送センター２６０に送信する。このパーツデータベース２３０には、医療機器メーカー２００が販売しているさまざまな内視鏡、及びそれらの内視鏡の操作部を構成するさまざまなパーツに関する情報が記録されている。また、ユーザーデータベース２４０には、このメーカーから種々の医療機器を購入するユーザーに関する情報が記録されている。このユーザーに関する情報とは、例えば、ユーザー名、住所、電話番号、メールアドレスなどである。
【００３３】
図１２は、第１の実施形態の内視鏡オーダーパーツシステム５００におけるユーザー側の処理を示すフローチャートである。以下に、このフローチャートを説明する。
【００３４】
ユーザーは、医療機器メーカー２００が発行するカタログや、ホームページ、または医療機器メーカー２００の営業員との相談などによって、購入する内視鏡を選択する（Ｓ１）。そして、ハンディターミナル１００に、購入する内視鏡の情報を入力する。
【００３５】
まず、ハンディターミナル１００に記録されている内視鏡を注文するためのプログラムを起動させる。このプログラムが起動すると、表示部１２０に、図２に示す画像が表示される。そして、「１（図中アラビア数字の１）．内視鏡本体」と表示された箇所に点滅するカーソルが現れる。ユーザーは、表示部１２０に表示されている種々の内視鏡本体の中から、購入したい内視鏡本体を選択する。例えば、内視鏡本体Ｂを購入したい場合は、入力部１１０に配列された数値キーのうち、「２」が記されているキーを押圧する。この「２」キーが押圧されると、ユーザーに、内視鏡本体Ｂが選択されたことが分かるように、内視鏡本体Ｂの前に表示されている「２．」が白抜きで表示される。そして、カーソルは、「２（図中アラビア数字の２）．パーツ」と表示された箇所に移動する。
【００３６】
次に、ユーザーは、上述した操作部３０を構成する種々のパーツを、自身の好みに応じてカスタムオーダーするかどうかを選択する（Ｓ２）。カスタムオーダーを選択しない場合（Ｓ２：Ｎ）、医療機器メーカー２００が設定した基本仕様のパーツによって組立てられた内視鏡の発注が行われる。また、カスタムオーダーを選択した場合（Ｓ２：Ｙ）、操作部３０を構成する種々のパーツを、自身の好みに応じて選択することができる（Ｓ３）。
【００３７】
Ｓ２及びＳ３におけるハンディターミナル１００の操作を以下に説明する。カスタムオーダーを選択しない場合、「２（図中アラビア数字の２）．パーツ」の箇所でカーソル点滅している状態で、曲折矢印が記された決定キーを押圧し、注文を確定する。そして、図示しない送信キーを押圧し、ユーザーに関する情報と共に、この注文データを医療機器メーカー２００に送信する（Ｓ４）。カスタムオーダーを選択する場合、図示しない矢印キーによって、カーソルを「ａ．操作部本体」に移動させる。以降は、内視鏡本体と同様の選択方法で、入力部１１０を操作し、カスタムオーダーする各種パーツを決定し、全てのパーツの選択が終了すると、送信キーを押圧し、ユーザー識別情報と共に、この注文データを医療機器メーカー２００に送信する（Ｓ４）。なお、このユーザー識別情報とは、医療機器メーカー２００のユーザーデータベース２４０に登録されている、ユーザーを識別するための番号である。このユーザー識別番号は、ユーザーが予め、ネットワークやダイレクトメールなどによって、医療機器メーカー２００に、ユーザー名、住所、電話番号、メールアドレスなどの情報を通知し、それらの情報を医療機器メーカー２００がユーザーデータベース２４０に登録した後に、ユーザーに与える番号のことである。
【００３８】
この操作部３０を構成する種々のパーツを選択する方法としては、カタログやホームページなどで仕様を確認してパーツを選択する方法、営業員が持参したこれらのパーツの模型や実際の部品などを手に取って確認する方法など、さまざまな方法が考えられる。ユーザーは、自身が操作し易いと感じたパーツを各種選択し、そのデータをハンディターミナル１００に入力し、医療機器メーカー２００に送信し（Ｓ４）、ユーザー側が行うオーダー処理は終了する。なお、この実施形態では、医療機器メーカー２００にデータを送信する際に、ハンディターミナル１００を用いているが、パソコン、ＰＤＡなどの端末機を用いてデータを送信してもよい。
【００３９】
図１３は、第１の実施形態の内視鏡オーダーパーツシステム５００における医療機器メーカー２００側の処理を示すフローチャートである。以下に、このフローチャートを説明する。
【００４０】
医療機器メーカー２００は、ハンディターミナル１００から送信された情報を受信すると（Ｓ１１）、この受信した注文データに基づいて、パーツデータベース２３０から受注したパーツの情報を抽出する（Ｓ１２）。
【００４１】
注文データが内視鏡本体のみの場合（Ｓ１３：Ｙ）、この注文データは、医療機器メーカー２００が設定した基本仕様のパーツによって組立てられた内視鏡の注文データであり、通常、医療機器メーカー２００は、このような基本仕様の内視鏡を在庫として備えている。そのため、Ｓ１５に進む。また、注文データが内視鏡、及び各種パーツである場合（Ｓ１３：Ｎ）、パーツデータベース２３０から抽出したパーツに関する情報を、製造ライン２５０に送信する（Ｓ１４）。なお、ここでいうパーツに関する情報とは、医療機器メーカー２００内におけるパーツの識別番号や、パーツが管理されている場所などの医療機器メーカー２００内特有の情報を表す。
【００４２】
パーツに関する情報を受信した製造ライン２５０は、その情報に基づいて、各種パーツを調達、または製造する。そしてそれらのパーツを、内視鏡本体に組み込み、内視鏡を完成させる。内視鏡が完成すると、製造ライン２５０は、その内視鏡を、配送センター２６０に搬送する。
【００４３】
また、抽出部２２０は、ハンディターミナル１００から送信された情報のうち、ユーザー識別番号に基づいて、ユーザーデータベース２４０からユーザーに関する情報を抽出する（Ｓ１５）。そして、抽出したユーザーに関する情報を配送センター２６０に送信し（Ｓ１６）、医療機器メーカー２００側が行うオーダー処理は終了する。配送センター２６０は、ユーザーに関する情報に基づいて、完成した内視鏡を、ユーザーに配送する。
【００４４】
図１４は、本発明の第２の実施形態でハンディターミナル１００ｚに表示される情報を示す図である。なお、ハンディターミナル１００ｚにおいて、図２で示す第１の実施形態のハンディターミナル１００と同一の構成には、同一の符号を付してここでの詳細な説明は省略する。この図１４は、第２の実施形態における、ハンディターミナル１００の内視鏡を注文するプログラムが起動した状態を表しており、表示部１２０には、ユーザーに対する質問が表示されている。この第２の実施形態の内視鏡オーダーパーツシステムは、ユーザーの手の情報に基づいて、医療機器メーカー２００側が、そのユーザーにとって最も操作し易い操作部３０を備えた内視鏡を、ユーザーに提供することができるシステムである。ここでいうユーザーの手の情報とは、例えば、ユーザーの利き腕、手の大きさ、各指の太さ及び長さなどである。
【００４５】
図１５は、第２の実施形態の内視鏡オーダーパーツシステムにおけるユーザー側の処理を示すフローチャートである。以下に、このフローチャートを説明する。
【００４６】
ユーザーは、第１の実施形態と同様の選択方法によって、購入する内視鏡を選択する（Ｓ１０１）。そして、ハンディターミナル１００に、購入する内視鏡の情報を入力する。購入する内視鏡の情報を入力すると、表示部１２０に、図１４に示す画像が表示される。そして、「１．利き腕」と表示された箇所に点滅するカーソルが現れる。ユーザーが右利きである場合、入力部１１０に配列された図示しない「ａ」が記されているキーを押圧する。また、ユーザーが左利きである場合、入力部１１０に配列された図示しない「ｂ」が記されているキーを押圧する。ユーザーの利き腕の情報を入力されると、ユーザーに、利き腕の情報が選択されたことが分かるように、選択した利き腕に表示されているアルファベットが白抜きで表示される。そして、カーソルは、「２．手のサイズ」と表示された箇所に移動する。次に、ユーザーは、自身の手のサイズを入力する。このように、ハンディターミナル１００にユーザーの手の情報を入力し（Ｓ１０２）、入力が完了すると、図示しない送信キーを押圧し、ユーザー識別情報と共に、この手の情報を医療機器メーカー２００に送信する（Ｓ１０３）。
【００４７】
図１６は、第２の実施形態の内視鏡オーダーパーツシステムにおける医療機器メーカー２００側の処理を示すフローチャートである。以下に、このフローチャートを説明する。
【００４８】
医療機器メーカー２００は、ハンディターミナル１００から送信された情報を受信すると（Ｓ１１１）、この受信したユーザーの手の情報に基づいて、第２の実施形態に備えられているパーツデータベース２３０ｚからパーツの情報を抽出する（Ｓ１１２）。
【００４９】
図１７は、パーツデータベース２３０ｚに記録されている情報を示す図である。このパーツデータベース２３０ｚには、種々の内視鏡本体の情報と共に、それらの内視鏡の操作部を構成する種々のパーツに関する情報が記録されている。この第２の実施形態のパーツに関する情報とは、医療機器メーカー２００内におけるパーツの識別番号や、パーツが管理されている場所などの医療機器メーカー２００内特有の情報、及びパーツを使用するユーザーの最適な手の情報を表す。このパーツを使用するユーザーの最適な手の情報とは、上下湾曲ノブＢの場合、利き腕「右」、手のサイズ「１０〜１２」、指の長さ「９〜１１」などである。これは、上下湾曲ノブＢが、右利き用で、手のひらの大きさが１０〜１２ｃｍ（指と水平方向）、指の長さが９〜１１ｃｍ（例えば、中指）の範囲内のユーザーにとって、最も扱い易い上下湾曲ノブであることを示している。
【００５０】
抽出部２２０は、ハンディターミナル１００から送信されたユーザーの手の情報と、パーツデータベース２３０ｚに記録されている上記最適な手の情報と、を比較し、送信されたユーザーの手の情報を満たす、若しくは最も条件の合ったパーツの情報を各種、抽出し、製造ライン２５０に送信する（Ｓ１１３）。そして製造ライン２５０は、その情報に基づいて、各種パーツを調達、または製造する。そしてそれらのパーツを、内視鏡本体に組み込み、内視鏡を完成させる。内視鏡が完成すると、製造ライン２５０は、その内視鏡を、配送センター２６０に搬送する。また、抽出部２２０は、第１の実施形態と同様に、ハンディターミナル１００から送信された情報のうち、ユーザー識別番号に基づいて、ユーザーデータベース２４０からユーザーに関する情報を抽出し（Ｓ１１４）、抽出したユーザーに関する情報を配送センター２６０に送信し（Ｓ１１５）、医療機器メーカー２００側が行うオーダー処理は終了する。配送センター２６０は、ユーザーに関する情報に基づいて、完成した内視鏡を、ユーザーに配送する。
【００５１】
なお、これらの実施形態の内視鏡では、操作部３０の重量を少しでも軽くするために、ユーザー側で各種パーツを交換できないように、構造を簡略化して構成されている。
【００５２】
以上が本発明の実施形態である。本発明はこれらの実施形態に限定されるものではなく様々な範囲で変形が可能である。
【００５３】
【発明の効果】
以上のように本発明の内視鏡オーダーパーツシステムでは、ユーザーが、内視鏡を構成する種々のパーツを、自身の好みに応じて選択することができる。また、ユーザーは、手の情報を業者に知らせることによって、業者側で最適な内視鏡を製作してもらうことも可能である。そのため、この本発明の内視鏡オーダーパーツシステムでは、内視鏡を購入する全てのユーザーに最適な（例えば、操作し易い）内視鏡を提供することができる。
【図面の簡単な説明】
【図１】本発明の第１の実施形態の内視鏡オーダーパーツシステムの構成を示すブロック図である。
【図２】本発明の第１の実施形態のハンディターミナルの詳細を示す図である。
【図３】医療機器メーカーが販売する内視鏡の一形態を示す図である。
【図４】内視鏡の操作部の詳細を示す図である。
【図５】パラメータの異なった操作部本体の種々のパターンの一例を示す図である。
【図６】パラメータの異なったグリップの種々のパターンの一例を示す図である。
【図７】パラメータの異なった上下湾曲ノブの種々のパターンの一例を示す図である。
【図８】パラメータの異なった左右湾曲ノブの種々のパターンの一例を示す図である。
【図９】パラメータの異なった上下ブレーキレバーの種々のパターンの一例を示す図である。
【図１０】パラメータの異なった左右ブレーキツマミの種々のパターンの一例を示す図である。
【図１１】パラメータの異なった鉗子起上レバーの種々のパターンの一例を示す図である。
【図１２】第１の実施形態の内視鏡オーダーパーツシステムにおけるユーザー側の処理を示すフローチャートである。
【図１３】第１の実施形態の内視鏡オーダーパーツシステムにおけるメーカー側の処理を示すフローチャートである。
【図１４】本発明の第２の実施形態でハンディターミナルに表示される情報を示す図である。
【図１５】第２の実施形態の内視鏡オーダーパーツシステムにおけるユーザー側の処理を示すフローチャートである。
【図１６】第２の実施形態の内視鏡オーダーパーツシステムにおけるメーカー側の処理を示すフローチャートである。
【図１７】第２の実施形態のパーツデータベースに記録されている情報を示す図である。
【符号の説明】
１  内視鏡
３０  操作部
１００  ハンディターミナル
２００  医療機器メーカー
５００  内視鏡オーダーパーツシステム
【図１】
2004180894.tif 000003
【図２】
2004180894.tif 000004
【図３】
2004180894.tif 000005
【図４】
2004180894.tif 000006
【図５】
2004180894.tif 000007
【図６】
2004180894.tif 000008
【図７】
2004180894.tif 000009
【図８】
2004180894.tif 000010
【図９】
2004180894.tif 000011
【図１０】
2004180894.tif 000012
【図１１】
2004180894.tif 000013
【図１２】
2004180894.tif 000014
【図１３】
2004180894.tif 000015
【図１４】
2004180894.tif 000016
【図１５】
2004180894.tif 000017
【図１６】
2004180894.tif 000018
【図１７】
2004180894.tif 000019